(57)【特許請求の範囲】
【請求項１】
アジマス軸を周方向に回転自在に収容したアジマスハウジングと、
前記アジマス軸の端面の両側に対向して垂直に取付けられた第１，第２ハウジング基板と、
それら第１，第２ハウジング基板に、リング状のベアリングを介して回転自在に、共通の軸線に沿って水平に取付けられた第１，第２回転軸と、
両側面から水平方向に突出された第１，第２ピッチ軸が、前記第１，第２回転軸に同心に連結されて支持され、前記第１，第２ハウジング基板間に回転自在に配された防滴性のカメラハウジングと、
前記第１ハウジング基板を一つの構成要素とし、前記第１回転軸を介して前記第１，第２ピッチ軸を回転駆動する機構を収容した防滴性のピッチ軸駆動部ハウジングと、
前記第２ハウジング基板を一つの構成要素として、前記第２回転軸に連結されたジャイロ部を収容した防滴性のジャイロハウジングとを有するカメラスタビライザにおいて、
前記第１，第２ハウジング基板の前記ベアリングを囲む外面より鍔が前記第１，第２ピッチ軸を囲むように突設され、それらの鍔の外周面にリング状溝が形成され、
前記カメラハウジングの両側面と前記第１，第２ハウジング基板との間に浸入した雨滴を前記リング状溝に案内するリング状のひさしが、前記カメラハウジングの両側壁に設けられていることを特徴とするカメラスタビライザ。
【請求項２】
請求項１において、前記リング状溝より排出された後、前記ひさしの内側に浸入した雨水を外部に逃がす水抜き孔が、前記ひさしに形成されていることを特徴とするカメラスタビライザ。
【請求項３】
請求項１において、前記カメラハウジングの両側壁の外面に、前記第１，第２ピッチ軸を囲む円形ビームが同心にそれぞれ形成され、それらの円形ビームの内周面に前記ひさしが突設されることを特徴とするカメラスタビライザ。
【発明の詳細な説明】
【０００１】
【発明の属する技術分野】
この発明はカメラスタビライザに関し、特にカメラハウジングのピッチ軸に連結された回転軸の周りに取付けられたベアリングを通じて、雨水がピッチ軸駆動部ハウジングやジャイロハウジング内に浸入するのを防止する構造に関する。
【０００２】
【従来の技術】
カメラスタビライザは、図３〜図５に示すようにアジマス軸２ａを周方向に回転自在に収容したアジマスハウジング２が航空機等の機体にねじ止めされる。ハウジング基板３ａ，４ａがアジマス軸２ａの端面の両側に対向して垂直に取付けられる。回転軸５−１，５−２がリング状のベアリング６，７をそれぞれ介して回動自在に、共通の軸線Ｌに沿って水平にハウジング基板３ａ，４ａにそれぞれ取付けられる。
【０００３】
防滴性のカメラハウジング８の両側面からピッチ軸９−１，９−２が水平方向に突出される。これらピッチ軸９−１，９−２の突端はそれぞれ回転軸５−１，５−２に同心に連結されて支持され、これによりカメラハウジング８はハウジング基板３ａ，４ａ間に、回転自在に配される。
防滴性のピッチ軸駆動部ハウジング３は、ハウジング基板３ａを一つの構成要素として含み、回転軸５−１を介してピッチ軸９−１，９−２を回転駆動する機構（ピッチ軸駆動部と言う）３ｃを収容する。また、防滴性のジャイロハウジング４はハウジング基板４ａを一つの構成要素として含み、回転軸５−２に連結されて回転駆動されるジャイロ４ｃ，４ｄ及び回路基板４ｅを収容する。
【０００４】
カメラハウジング８の本体８ａの前面及び背面にそれぞれフロントカバー８ｂ及びリヤカバー８ｃが取付けられる。フロントカバー８ｂの前端に撮影用の透明窓８ｄが取付けられけている。
なお、カメラハウジング本体８ａの両側壁は図５に示すように、材料の節減と重量の軽量化を図るために、外面の肉が削り取られて、ピッチ軸９−１，９−２と同心の円形ビーム８ａ１と、その円形ビーム８ａ１と連結された複数の放射ビーム８ａ２が形成されている。
【０００５】
【発明が解決しようとする課題】
リング状のベアリング６，７はそれぞれ内環部と外環部とが互いに摺動接触して回転自在に係合されて組立てられているものであるので防水ではない。雨滴がハウジング基板３ａ，４ａとカメラハウジング８との隙間からピッチ軸９−１，９−２を経由してベアリング６，７に達すると、ベアリング６，７を通してハウジング３，４内に浸入し、内部のピッチ軸駆動部３ｃや回路基板４ｅに悪影響を与える恐れがあった。
【０００６】
この発明は、雨水がベアリング６，７を通して浸入するのを防止することを目的としている。
【０００７】
【課題を解決するための手段】
（１）請求項１の発明は、アジマス軸を周方向に回転自在に収容したアジマスハウジングと、アジマス軸の端面の両側に対向して垂直に取付けられた第１，第２ハウジング基板と、それら第１，第２ハウジング基板に、リング状のベアリングを介して回転自在に、共通の軸線に沿って水平に取付けられた第１，第２回転軸と、両側面から水平方向に突出された第１，第２ピッチ軸が、第１，第２回転軸に同心に連結されて支持され、第１，第２ハウジング基板間に回転自在に配された防滴性のカメラハウジングと、第１ハウジング基板を一つの構成要素とし、第１回転軸を介して第１，第２ピッチ軸を回転駆動する機構を収容した防滴性のピッチ軸駆動部ハンジングと、第２ハウジング基板を一つの構成要素として、第２回転軸に連結されたジャイロ部を収容した防滴性のジャイロハウジングとを有するカメラスタビライザに関する。
【０００８】
請求項１では特に、第１，第２ハウジング基板のベアリングを囲む外面より、鍔が第１，第２ピッチ軸を囲むように突設され、それらの鍔の外周面にリング状溝が形成される。カメラハウジングの両側面と第１，第２ハウジング基板との間に浸入した雨滴をリング状溝に案内するリング状ひさしが、カメラハウジングの両側壁に設けられる。
【０００９】
（２）請求項２の発明では、リング状溝より排出された後、ひさしの内側に浸入した雨水を外部に逃がす水抜き孔が、ひさしに形成される。
（３）請求項３の発明では、カメラハウジングの両側壁の外面に、第１，第２ピッチ軸を囲む円形ビームが同心にそれぞれ形成され、それらの円形ビームの内周面にひさしが突設される。
【００１０】
【発明の実施の形態】
この発明の実施例を図１，図２に、図３〜図５と対応する部分に同じ符号を付けて示し、重複説明を省略する。
この発明では、ハウジング基板３ａ，４ａのベアリング６及び７を囲む外面より鍔１２が、ピッチ軸９−１，９−２を囲むように突設され、これらの鍔の外周面に、リング状溝１２ａが形成される。またリング状のひさし１４が、各リング状溝１２ａに近接対向してカメラハウジング８に突設される。ひさし１４は、上方からカメラハウジング８の両側面とハウジング基板３ａ，４ａとの間に浸入した雨滴をリング状溝１２ａに案内する。
【００１１】
リング状溝１２ａに案内された雨滴は重力加速度を受け、溝に沿って下方に流れ、最も低い位置の溝から落下して、最も低い位置にあるひさし１４の内側にたまり、しずく（滴）がベアリング６，７にかかる恐れがあるので、最低位置のひさし１４に水抜き孔１４ａを形成するのが望ましい。
なお、図１，図２の実施例では、ひさし１４は円形ビーム８ａ１の内周面に突設されている。
【００１２】
【発明の効果】
この発明では、ハウジング基板３ａ，４ａのベアリング６，７の外周面と接する部分に、リング状溝１２ａを備えた鍔１２を突設すると共に、雨滴をリング状溝１２ａに案内するひさし１４をカメラハウジングの両側面に設けているので、雨滴がベアリング６，７に達するのを未然に防止することができる。従って、雨水がベアリング６，７からハウジング３，４に浸入する恐れもない。
【図面の簡単な説明】
【図１】発明の実施例を示す縦断面図。
【図２】図１のカメラハウジング本体８ａの斜視図。
【図３】従来のカメラスタビライザの外観を示す斜視図。
【図４】図３のａ−ａ′断面図。
【図５】図３のカメラハウジング本体８ａの斜視図。
【図１】
0003828639.tif 000002
【図２】
0003828639.tif 000003
【図３】
0003828639.tif 000004
【図４】
0003828639.tif 000005
【図５】
0003828639.tif 000006